(57)【要約】【課題】白色に発光するＬＥＤを光源に用い、被読影物に照度が高くて輝度ムラのない均質な光を照射し、かつ作業者の目に負担をかけない読影用装置を提供する。【解決手段】被読影物の背後に光源を配置してその光源から光を照射して被読影物を透かして見る読影用装置であって、光源は、白色発光ダイオードを基板上に単数設けた点状光源又は複数配設した面状光源であり、被読影物と光源の間には距離を隔てた少なくとも２枚のフィルタが介設され、基板又はＬＥＤは反射体を備えることを特徴とする読影用装置による。【選択図】  図１
2007121871.tif 000002
【特許請求の範囲】
【請求項１】
被読影物の背後に光源を配置してその光源から光を照射して前記被読影物を透かして見る読影用装置であって、
前記光源は、白色発光ダイオード（以下、ＬＥＤという。）を基板上に単数設けた点状光源又は複数配設した面状光源であることを特徴とする読影用装置。
【請求項２】
前記読影用装置は、前記被読影物と前記光源の間に距離を隔てた少なくとも２枚のフィルタを介設することを特徴とする請求項１に記載の読影用装置。
【請求項３】
前記ＬＥＤは、発光波長が３９０ｎｍ以上のＬＥＤであることを特徴とする請求項１又は請求項２に記載の読影用装置。
【請求項４】
前記ＬＥＤ又は、前記フィルタのうち少なくとも１枚の前記フィルタは、波長が３９０ｎｍ以下の紫外線をカットする紫外線除去フィルタを備えることを特徴とする請求項１又は請求項２に記載の読影用装置。
【請求項５】
前記基板又はＬＥＤは反射体を備えることを特徴とする請求項１乃至請求項４のいずれか１項に記載の読影用装置。
【発明の詳細な説明】
【技術分野】
【０００１】
本発明は、被読影物を透かして見る読影用装置に関し、特に光源に白色に発光するＬＥＤを基板上に複数配設する面状光源とした読影用装置に関する。また、このＬＥＤと被読影物の間に少なくとも２枚のフィルタを介設することで輝度ムラがなくしかも被読影物への熱による影響が少ない読影用装置に関する。
【背景技術】
【０００２】
従来、レントゲン撮影されたネガや写真のフィルムに写る像を観察するには、フィルムやネガ等の被読影物を日の光や照明具の光に透かす必要があり、その際にフィルムやネガ等の被読影物に光を照射するための装置に関する発明がいくつか開示されている。
【０００３】
たとえば、特許文献１には「歯科用照明及びモニター装置」という名称で、平板状に配設された白色ＬＥＤ光源を備え、この光源は、シャウカステン照明、無影灯、モニターの各機能に切り換え可能であることを特徴とする歯科用照明及びモニター装置に関する発明が開示されている。
当該発明によれば、従来、医療用設備として別に設置されるシャウカステン照明、無影灯、モニターを１つの装置に集約することができ、それぞれの機能への切替機構を備えることで各機能を個別に利用可能となっている。当該発明のシャウカステン照明機能は、フィルムやネガ等を観察する際の読影用装置としても利用することが可能である。
また、白色ＬＥＤを光源に用いることで、高輝度、低発熱、長寿命の光源を実現できる。さらに、白色ＬＥＤを用いることで所望の照度を有する光を少ない電力により提供することができる。
【０００４】
また、特許文献２には「シャーカステン」という名称で、白色照射光だけでは判別しにくい画像情報を、容易に且つ正確・精確に読影でき、しかもモノクロのコントラスト画面から生じる読影者の目の疲労を軽減して誤診や見落としを防止して作業効率の向上を図ることのできる読影用装置に関する発明が開示されている。
当該発明に係る「シャーカステン」は、光源を白色ＬＥＤに置き換えることが可能であり、この場合、特許文献１の場合と同様に高輝度、低発熱、長寿命である光源を実現できる。さらに、白色ＬＥＤを用いることで所望の照度有する光を少ない電力により提供することができる。
【０００５】
【特許文献１】特開平１０−１６５４２３号公報
【特許文献２】特開２０００−２４１７４９号公報
【発明の開示】
【発明が解決しようとする課題】
【０００６】
しかしながら、上述の特許文献１に開示されるような従来の「歯科用照明及びモニター装置」において、白色ＬＥＤが平板状に配設される光源は、フィルタを備えていないため、当該発明をシャウカステン照明としてフィルムやネガ等の読影に用いる際には、被読影物であるフィルムやネガ等を裸出する白色ＬＥＤに直にかざす必要があった。
一般に光源としてのＬＥＤは、従来のハロゲンランプや蛍光灯に比べ高輝度、低発熱、長寿命という利点を有する反面、光の指向性が強く、多数のＬＥＤを高密度に配設した場合であっても、ＬＥＤの発光部近傍では隣り合うＬＥＤ同士の光がほとんど干渉しない。
このため、フィルタを備えない白色ＬＥＤ光源に被読影物を直にかざした場合、被読影物には輝度ムラのある光が照射されることになり、被読影物の内容を正確に映し出すことができないという課題があった。
また、当該発明に係る光源が被読影物からはみ出た場合、作業者はＬＥＤ光源を直視することになり、眩しくて作業がしづらいだけでなく、作業者の目にも悪影響を及ぼす恐れがあった。
【０００７】
また、特許文献２に開示された「シャーカステン」の光源は散光フィルタを兼ねたスクリーンを備えるものの、当該発明の場合のように１枚スクリーンでは指向性の高いＬＥＤの光を十分に散光できない可能性があった。
つまり、先にも述べたように、ＬＥＤから発せられる光は特に指向性が強く、発光部近傍において、隣り合うＬＥＤ同士の光がほとんど干渉しない。
このため、ＬＥＤから発せられる光を１枚のスクリーンで輝度ムラを生じさせることなく均質に散光させるには、光源から十分に離れた位置にスクリーンを配置して、隣り合うＬＥＤの光が互いに干渉した状態でスクリーンに光が入射するよう構成するか、あるいは、ＬＥＤの発光部近傍にスクリーンを配置する場合には、スクリーンを特殊な素材で構成したり、スクリーンの表面に特殊な凸凹加工を施す必要があった。
しかしながら、光源から十分に離れた位置にスクリーンを配置する場合、光源からスクリーンまでの距離が大きくなり、装置自体が大型になるという課題があった。またこの場合、スクリーンが光源から離れた位置に配置されるため、照度の低下が避けられないという課題もあった。
さらに、スクリーンの材料に特殊な素材を使用したり、スクリーンに特殊な加工を施す場合には、スクリーンの作製にコストがかかり装置自体が高価になるという課題があった。
また、１枚のスクリーンの散光性を極端に高めた場合や、厚みを大きくした場合には、スクリーン表面上における照度の低下が避けられないという課題があった。
一方、当該発明の光源に指向性の弱い拡散型のＬＥＤを用いることで、ＬＥＤの発光部近傍へのスクリーンの設置を可能にすることも考えられるが、このような拡散型のＬＥＤは、発光部から発せられる光の中心部と辺部の明るさが異なる傾向にあり、やはりスクリーン上に輝度ムラを生じる可能性があった。
【０００８】
本発明はかかる従来の事情に対処してなされたものであり、その目的は、白色に発光するＬＥＤを光源に用い、被読影物に照度が高くて輝度ムラのない均質な光を照射し、かつ作業者の目に負担をかけない読影用装置を提供することにある。
【課題を解決するための手段】
【０００９】
本発明の請求項１に記載の読影用装置は、被読影物の背後に光源を配置してその光源から光を照射して被読影物を透かして見る読影用装置であって、光源は、白色発光ダイオード（以下、ＬＥＤという。）を基板上に単数設けた点状光源又は複数配設した面状光源であることを特徴とするものである。
上記構成の読影用装置において、白色に発光するＬＥＤを基板上に複数配設した面状光源は、少ない電力で高照度の光を発光するという作用を有する。また、ＬＥＤは発光時の発熱量が少ないため、被読影物に熱が伝達されにくいという作用を有する。
【００１０】
また、請求項２に記載の発明である読影用装置は、請求項１に記載の読影用装置であって、被読影物と光源の間に距離を隔てた少なくとも２枚のフィルタを介設することを特徴とするものである。
上記構成の読影用装置は請求項１に記載の読影用装置の作用に加え、フィルタとフィルタの間に設けられる空間は、光を屈折させる境界面の数を増加させるという作用を有する。
【００１１】
さらに、請求項３に記載の発明である読影用装置は、請求項１又は請求項２に記載の読影用装置であって、ＬＥＤは、発光波長が３９０ｎｍ以上のＬＥＤであることを特徴とするものである。
上記構成の読影用装置は、請求項１又は請求項２に記載の読影用装置の作用に加え、光源は波長が３９０ｎｍ以下の紫外線を発しないという作用を有する。
【００１２】
請求項４に記載の発明である読影用装置は、請求項１又は請求項２に記載の読影用装置の作用に加え、ＬＥＤ又は、フィルタのうち少なくとも１枚のフィルタは、波長が３９０ｎｍ以下の紫外線をカットする紫外線除去フィルタを備えることを特徴とするものである。
上記構成の読影用装置は、請求項１又は請求項２に記載の読影用装置の作用に加え、被読影物に紫外線が到達するのを妨げるという作用を有する。
【００１３】
最後に、請求項５に記載の発明である読影用装置は、請求項１乃至請求項４のいずれか１項に記載の読影用装置であって、基板又はＬＥＤは反射体を備えることを特徴とするものである。
上記構成の読影用装置は、請求項１乃至請求項４のいずれか１項に記載の読影用装置の作用に加え、反射体はＬＥＤ後方へ漏れる光を被読影物側へ反射させるという作用を有する。
【発明の効果】
【００１４】
本発明の請求項１に記載の発明である読影用装置は、光源に白色に発光するＬＥＤを用いることで、光源を高照度で長寿命かつ低発熱のものにすることができる。このため、本発明に係る読影装置のランニングコストを安価することができる。さらに、光源が低発熱であるため、被読影物に光を照射した際に、発光熱で被読影物が変性したり劣化するのを防止することができる。
【００１５】
また、本発明の請求項２に記載の発明である読影用装置は、被読影物と光源の間に距離を隔てた少なくとも２枚のフィルタを介設することで、ＬＥＤの近傍にフィルタを配置した場合であってもＬＥＤから発せられる光を十分に拡散することができる。すなわち、１枚目のフィルタで十分拡散されていない光を、もう１枚のフィルタまでの距離で拡散させると同時にそのもう１枚のフィルタでも拡散させることができるので指向性の強い光であっても十分拡散させることができるのである。
また、被読影物が接するフィルタの表面に輝度ムラの無い均質な光を照射することができると同時に本発明に係る読影用装置自体の厚さを薄くすることができる。また、被読影物に均質な光が照射されるので、読影者は被読影物に映し出される内容を正確に読み取ることができる。
【００１６】
さらに、本発明の請求項３に記載の発明である読影用装置は、光源から人体に有害な紫外線が発生しないので、読影者が紫外線により被曝する心配がなく安全である。
【００１７】
本発明の請求項４に記載の発明である読影用装置は、光源から人体に有害な紫外線が発生する場合でも、紫外線を紫外線除去フィルタによりカットすることができるので、被読影物に紫外線が到達することがなく、したがって、読影者が紫外線により被曝する心配がなく安全である。
【００１８】
最後に、本発明の請求項５に記載の発明である読影用装置は、反射体を備えることで、ＬＥＤの後方に漏れる光を被読影物側に反射することができる。
このため、ＬＥＤから発せられる光を本発明に係る読影用装置内において減衰させることなく効率的に使用することができ、被読影物に高い照度の光を照射することができる。また、反射体を設けることで、所望の照度を得るために必要なＬＥＤの数を少なくすることができる。この結果、消費電力量を低減することができる。また、光源であるＬＥＤの数の減少に伴い、発光時の発熱量も減少するため、発光熱による被読影物への影響を一層少なくできる。
【発明を実施するための最良の形態】
【００１９】
以下に本発明の第１の実施の形態に係る読影用装置について図１乃至図３を参照しながら説明する。
【００２０】
図１（ａ）は本発明の第１の実施の形態に係る読影用装置の一部を欠いて示す斜視図であり、（ｂ）は符号Ａ−Ａ線における矢視断面図である。
図１（ａ）,（ｂ）に示すように、本発明の第１の実施の形態に係る読影用装置１ａは、フレーム２とその底部を被覆する底板７により形成される空間内に、基板５上に複数のＬＥＤ４が配設された面状光源１０ａが収容され、この面状光源１０ａには、距離を隔てて２枚の散光フィルタ３ａ,３ｂが互いに接することなく空間１１を維持しながら覆設されている。また、散光フィルタ３ａの外縁に対向するフレーム２の下面側には、湾曲する板バネなどの弾性体からなる押圧部材６が設けられ、この押圧部材６と散光フィルタ３ａの隙間に、図示しない被読影物を差し込むことができるよう構成されている。なお、本発明に係る読影装置１ａには、面状光源１０ａを用いる代わりに点状光源を用いてもよい。
また、基板５の表面には金属薄膜からなる表面が鏡面状の反射体９ａ1が設けられており、ＬＥＤ４から後方に漏れる光あるいは散光フィルタ３ｂにより基板５側に反射された光が反射体９ａ1により再度散光フィルタ３ｂ側へと反射されるよう構成されている。このように、反射体９ａ1を設けることで、フレーム２と底板７で構成される空間内における光の減衰と発熱を防止して、散光フィルタ３ａの上面における照度を高めることができる。
【００２１】
次に、図２を参照しながら、本実施の形態に係る読影用装置１ａにおいて光が拡散される仕組みについて説明する。
図２（ａ）は隣り合うＬＥＤの光が干渉し合う様子を示した概念図であり、図２（ｂ）は図１（ｂ）中の記号Ｃで示す部分の部分拡大図である。なお、図１に記載されたものと同一部分については同一符号を付し、その構成についての説明は省略する。
一般に、ＬＥＤは消費電力が少なくかつ高輝度であり、しかも発光時の発熱量が小さいという利点を有する反面、光の指向性が強く散光しにくいという課題を有している。
図２（ａ）に示すように、基板５上に配設されるＬＥＤ４から発せられる光は発光チップを基点に概ね２０°〜６０°程度、すなわち図中の符号Ｋで示される範囲に拡散している。このため、ＬＥＤ４から発せられる光は発光面Ｄの近傍において互いに干渉することなく、発光面Ｄから離れた位置Ｅにおいて初めて互いに干渉するのである。
したがって、隣り合うＬＥＤ４の光が互いに干渉しない空間Ｆに散光用のフィルタを１枚設けただけでは、光が十分に散光されず、フィルタ表面上に輝度ムラが生じる原因になっていた。
そこで、本実施の形態においては、面状光源１０ａの発光面と図示しない被読影物の間に、少なくとも２枚の散光フィルタ３ａ,３ｂを空間１１を保ちながら介設することで、１枚目の散光フィルタ３ｂで十分散光されなくとも、この１枚目のフィルタ３ｂで指向性が弱められた光を空間１１及び２枚目のフィルタで散光させることが可能である。従って、ＬＥＤ４から発せられる光を十分に拡散でき、しかも被読影物を載置する散光フィルタ３ｂ上における照度が高い読影用装置１ａを実現することができる。
【００２２】
ＬＥＤ４から発せられる光が２枚の散光フィルタ３ａ,３ｂにより拡散される仕組みについて説明する。
波動である光は、ある媒質から異なる媒質に進む際に二つの媒質の境界で屈折する性質を有している。このため、媒質と媒質の境界を通過する回数が多ければ多いほど光の進行方向は大きく変わり、この結果、光が拡散されるのである。
すなわち、本発明はこのような光の物理的特性に着目して、ＬＥＤ４から発せられる光が散光フィルタ３ｂの表面に到達するまでの間に屈折する回数を増やすことで光の散光を助長するものである。
図２（ｂ）に示すように、散光フィルタ３ａ,３ｂを面状光源１０ａの上面側に空間１１を保ちながら設けた場合、ＬＥＤ４から発せられる光は散光フィルタ３ａの上面に到達するまでに、散光フィルタ３ｂの底面Ｇ、散光フィルタ３ｂの上面Ｈ、散光フィルタ３ａの底面Ｉ、散光フィルタ３ａの上面Ｊにおいて順次屈折する。この結果、散光フィルタ３ｂの表面上において光が十分に拡散されるのである。
このように面状光源１０ａに、１枚では輝度ムラを生じるような比較的光透過度の高い散光フィルタ３を、空間１１を設けながら少なくとも２枚覆設することで、被読影物に輝度ムラがなく、しかも照度の高い光を照射することができる。
上記構成の読影用装置１ａにおいては、面状光源１０ａの近傍に散光フィルタ３を配置した場合であっても十分に光を拡散できるので、読影用装置１ａの厚み、すなわち、底板７から散光フィルタ３ａまでの距離を小さくすることができる。このため、読影用装置１ａをコンパクトにすることができる。
また、面状光源１０ａと被読影物の間には、２枚の散光フィルタ３ａ,３ｂ及び空間１１が設けられていることから、本来ＬＥＤ４の発光熱は小さいのであるが、万一ＬＥＤ４が発熱しても散光フィルタ３ａ表面上にある被読影物に熱が伝わりにくい。このため、光源の発光熱により被読影物が変性する心配が無い。なお、特に２枚の散光フィルタ３ａ，３ｂ間での熱伝達を低減するためには、散光フィルタ３ａ，３ｂ間の空間１１を真空に引くとよい。
【００２３】
なお、本実施の形態においては、白色に発光するＬＥＤが用いられているがＬＥＤを白色に発光させる技術内容は公知であるため、その技術についての詳細な説明は省略する。また、本発明に使用するＬＥＤ４は、高輝度高演色性のＬＥＤを用いることが好ましい。この演色性とは、ある光源による物体の色彩見え方の効果又はその光源の属性を人工光からなる基準光源と比較して１〜１００までの数値で示したものであり、この数値が大きいほど演色性の高い光源であるといえる。
また、本実施の形態に係るＬＥＤ４について、たとえば、発光チップを封入する樹脂材料中に、３９０ｎｍ以下の波長を有する紫外線を吸収する物質を含有させたり、３９０ｎｍ以下の波長光をカットするような紫外線除去フィルタをＬＥＤ４表面上に覆設する等してＬＥＤ４から３９０ｎｍ以下の波長を有する紫外線が発生しないよう構成することによれば、ＬＥＤ４の発光チップから３９０ｎｍ以下の波長を有する紫外線が発せられる場合であっても、読影者が被曝する心配がなく安全である。
また、これとは別に、散光フィルタ３ａ,３ｂの少なくとも一方に紫外線除去フィルタを設けても同様の効果を得ることができる。
なお、発光チップを封入する樹脂材料中に紫外線を吸収する物質を含有させる方法と、紫外線除去フィルタを設ける方法を併用してもよい。このように２種類の方法を併用することで、異なる波長を有する複数種類の紫外線を除去することが可能となり、本発明に係る読影装置の安全性を一層高めることができる。
さらに、本実施の形態においては、面状光源１０ａの発光面側に２枚の散光フィルタ３ａ,３ｂを、空間１１を保ちながら設けた場合を例に挙げて説明したが、散光フィルタ３の数は必ずしも２枚である必要はなく、たとえば、被読影物と面状光源１０ａの間に安価で光の透過率の高い散光フィルタを２枚以上介設してもよい。
すなわち、被読影物に到達する光が輝度ムラを生じない程度に拡散され、光の減衰が被読影物の読影に影響がない程度に抑制されるのであれば、介設される散光フィルタ３を構成する素材や散光フィルタ３の枚数は問題としない。
【００２４】
続いて、本発明の第１の実施の形態に係る読影用装置１ａの使用方法について図３を参照しながら説明する。
図３（ａ）は本発明の第１の実施の形態に係る読影用装置の使用状態図であり、（ｂ）は符号Ｂ−Ｂ線における矢視断面図である。なお、図１又は図２に記載されたものと同一部分については同一符号を付し、その構成についての説明は省略する。
図３に示すように、本実施の形態に係る読影用装置１ａにより被読影物８の内容を観察するには、図示しないスイッチにより読影用装置１ａのＬＥＤ４を点灯し、散光フィルタ３ａ上に被読影物８を載置すればよい。
また、四方のフレーム２に設けられる押圧部材６と散光フィルタ３ａからなる隙間に被読影物８を差し込むと、押圧部材６により被読影物８が散光フィルタ３ａ側に押圧されて保持されるので、たとえば、読影用装置１ａを壁面に設置して使用する場合であっても被読影物８が落下する心配がなく便利である。
【００２５】
最後に、本実施の形態に係る反射体の変形例について図４及び図５を参照しながら説明する。
図４は本発明の第２の実施の形態に係る読影用装置の部分拡大図であり、図５は本発明の第３の実施の形態に係る読影用装置の部分拡大図である。なお、図１乃至図３に記載されたものと同一部分については同一符号を付し、その構成についての説明は省略する。
図４に示すように、本発明の第２の実施の形態に係る読影用装置１ｂは、第１の実施の形態に係る読影用装置１ａの反射体９ａ1の代わりに基板５上に反射体９ａ2を備えている。
本実施の形態に係る反射体９ａ2は、光を反射する金属薄膜９ｂ1とこれを支持する支持材９ｃ1から構成されている。つまり、反射体９ａ2は、散光フィルタ３ｂの底面において反射された光が再び散光フィルタ３ｂ側へと向うよう、基板５上からＬＥＤ４を中心にして対をなすように散光フィルタ３ｂに亘って設けられる支持材９ｃ1上に、表面が鏡面状の金属薄膜９ｂ1が貼付されたものであり、反射体９ａ2の散光フィルタ３ｂ側の端部はＬＥＤ４の脚部から発光部に向って広がるよう構成されている。
なお、この反射体９ａ2は必ずしも金属薄膜９ｂ1と支持材９ｃ1で構成する必要はなく、たとえば、表面を鏡面状に研磨した金属板を単体で使用してもよい。
また、この反射体９ａ2は、ＬＥＤ４の側面を１つ１つ個別に被覆するように設けても良いし、或いは、断面略Ｖ字形をなすよう折曲した金属板をＬＥＤ４の列間／行間に設置してもよい。
【００２６】
本発明の第３の実施の形態に係る読影用装置１ｃの反射体９ａ3は、第２の実施の形態に係る反射体９ａ2と同様に、光を反射する金属薄膜９ｂ2とこれを支持する支持材９ｃ2から構成されるものであるが、反射体９ａ3がＬＥＤ４に個別に装着される点が第２の実施の形態に係る反射体９ａ2とは異なる。
本実施の形態に係る反射体９ａ3は、ソケット状の支持材９ｃ2の内側に表面が鏡面状の金属薄膜９ｂ2を貼付したものであり、ＬＥＤ４の発光チップが封入される樹脂の側面を被覆するよう構成されている。また、反射体９ａ3は散光フィルタ３ｂに向けて拡径している。
なお、この反射体９ａ3は、表面を鏡面状に研磨した金属板を用いてもよい。
【００２７】
このように、基板５又はＬＥＤ４に反射体９ａ1〜９ａ3を設けた場合、散光フィルタ３ａの上面に到達する光の照度を、反射体９ａ1〜９ａ3を設けない場合に比べて約１０％向上させることができる。このため、反射体９ａ1〜９ａ3を設けた場合、散光フィルタ３ａ上面において所望の照度を得るために必要なＬＥＤ４の数を少なくすることができ、読影用装置１ａ〜１ｃの消費電力を低減することができる。
さらに、面状光源１０ａ〜１０ｃの消費電力量の低減に伴い、発光時の光源からの発熱量も少なくなる。このため散光フィルタ３ａ表面上の温度上昇やこの温度上昇に伴う被読影物８の変質を一層防止することができる。
【産業上の利用可能性】
【００２８】
以上説明したように、本発明の請求項１乃至請求項４に記載された発明は、ＬＥＤから発せられる光を、照度を保ったまま拡散させることが可能であり、ＬＥＤを用いた照明装置に関する分野において利用の可能性が高い。
【図面の簡単な説明】
【００２９】
【図１】（ａ）は本発明の第１の実施の形態に係る読影用装置の一部を欠いて示す斜視図であり、（ｂ）は符号Ａ−Ａ線における矢視断面図である。
【図２】（ａ）は隣り合うＬＥＤの光が干渉し合う様子を示した概念図であり、図１（ｂ）中の記号Ｃで示す部分の部分拡大図である。
【図３】（ａ）は本発明の第１の実施の形態に係る読影用装置の使用状態図であり、（ｂ）は符号Ｂ−Ｂ線における矢視断面図である。
【図４】本発明の第２の実施の形態に係る読影用装置の部分拡大図である。
【図５】本発明の第３の実施の形態に係る読影用装置の部分拡大図である。
【符号の説明】
【００３０】
１ａ〜１ｃ…読影用装置  ２…フレーム  ３，３ａ, ３ｂ…散光フィルタ  ４…ＬＥＤ  ５…基板  ６…押圧部材  ７…底板  ８…被読影物  ９ａ1〜９ａ3…反射体  ９ｂ1, ９ｂ2…金属薄膜  ９ｃ1, ９ｃ2…支持材  １０ａ〜１０ｃ…面状光源  １１…空間
【図１】
2007121871.tif 000003
【図２】
2007121871.tif 000004
【図３】
2007121871.tif 000005
【図４】
2007121871.tif 000006
【図５】
2007121871.tif 000007